(57)【要約】【課題】  一般的な居室の主照明としても十分な照度を得ることができ、且つ取付作業を容易に行うことができるコンパクトな照明器具を提供する。【解決手段】  本発明の照明器具１は、上面側で外部電源と接続される接続器２と、該接続器２の下面側に取り付けられて、前記接続器２を中心として放射状に突設された３つのアーム部１２，１３，１４を備えた器体１０と、各アーム部１２，１３，１４の先端部に設けられ同一の環形蛍光ランプ１００を支持する支持部１２ａ，１３ａ，１４ａと、環形ランプ１００の点灯制御を行う点灯制御回路部３１と、点灯制御回路部３１を遠隔操作するための受信回路部３２とを具備し、各アーム部１２，１３，１４の内部を中空に形成して、点灯制御回路部３１をアーム部１２，１３に分割して収納し、受信回路部３２をアーム部１４に収納している。【選択図】図１
2006040729.tif 000002
【特許請求の範囲】
【請求項１】
上面側で外部電源と接続される接続器と、該接続器の下面側に取り付けられて、前記接続器を中心として放射状に突設された複数のアーム部を備えた器体と、前記複数のアーム部の先端部に設けられて、同一の環形蛍光ランプを支持する支持部と、前記器体に収納されるとともに前記接続器を介して前記外部電源と電気的に接続されて、前記環形蛍光ランプの点灯制御を行う点灯制御回路部とを具備し、前記アーム部は、内部が中空に形成されて、少なくとも前記点灯制御回路部の一部が収納されていることを特徴とする照明器具。
【請求項２】
前記器体は、上面部が開口したボディと、該ボディの開口した上面部に被着される金属製のカバーとから構成され、前記カバーで前記接続器の下面側に取り付けられていることを特徴とする請求項１に記載の照明器具。
【請求項３】
前記点灯制御回路部は、複数の前記アーム部に分割して収納されていることを特徴とする請求項１又は２に記載の照明器具。
【請求項４】
前記器体は３つの前記アーム部を備え、前記点灯制御回路部は前記３つのアーム部のうち２つのアーム部に分割して収納され、残りの１つのアーム部には、ワイヤレスリモコンにより前記点灯制御回路部を遠隔制御するためのワイヤレスリモコン受信部が収納されていることを特徴とする請求項１乃至３のいずれか１項に記載の照明器具。
【請求項５】
前記アーム部の下面部にその表裏に貫通する照射孔部を形成するとともに、該照射孔部に対応して発光手段を前記アーム部に収納していることを特徴とする請求項１乃至４のいずれか１項に記載の照明器具。
【請求項６】
前記環形蛍光ランプは二重環形蛍光ランプであり、前記点灯制御回路部の定格電力は７０Ｗ以上であることを特徴とする請求項１乃至５のいずれか１項に記載の照明器具。
【請求項７】
前記点灯制御回路部は、ワイヤレスリモコンからの制御信号により、環形蛍光ランプの点灯照度を連続的に切り替える機能を有していることを特徴とする請求項１乃至６のいずれか１項に記載の照明器具。
【発明の詳細な説明】
【技術分野】
【０００１】
本発明は、照明器具に関する。
【背景技術】
【０００２】
従来から、環形蛍光ランプを用いた照明器具が提供されており、このような照明器具としては、ソケットに接続するための口金等を有して、内部に環形蛍光ランプを点灯制御するための安定器等を備えた点灯制御回路部が収納された略円柱状の器体と、器体に放射状に突設された３つのアーム部と、これらアーム部によって３箇所で支持される環形蛍光ランプとを備え、これら３つのアーム部のうちの１つに、器体に収納した点灯制御回路部に環形蛍光ランプのプラグを接続するスライド形コネクタを備え、主に白熱電球代替用として利用されるものが提供されている（特許文献１）。
【特許文献１】特公昭５６−３７６４２号公報（第２図及び第３図）
【発明の開示】
【発明が解決しようとする課題】
【０００３】
上記の照明器具は、略円柱状の器体に安定器を備えているが、この程度の大きさの器体に収納可能な安定器では、例えば定格電力が１０Ｗ〜２０Ｗ程度と比較的低い蛍光ランプしか点灯制御することができず、リビングルーム等の一般的な居室で主照明として使用するには、照度不足が著しいという問題があった。
【０００４】
この問題は、より大型の安定器（或いはインバータ）を使用すれば、例えば定格電力が４０Ｗ〜１００Ｗ程度と高い蛍光ランプを点灯制御することができるようになり、リビングルーム等の一般的な居室において十分な照度を得ることができるようになるが、この場合、大型の安定器等を収納するために照明器具の器体自体を大型化する必要があった。このように器体が大型化してしまうと、例えば天井に設置された引掛ローゼットや引掛シーリング等の配線器具に、引掛栓刃を備えた接続器を用いて照明器具を取り付ける際には、器体が大きいために接続器が斜め下方から目視し難くなって、接続器の引掛栓刃と引掛ローゼット等の刃受部との位置合わせが困難になるという新たな問題が生じ、殊に、高所での照明器具の取付作業において危険を伴い易くなっていた。
【０００５】
本発明は上述の点に鑑みて為されたもので、その目的は、一般的な居室の主照明としても十分な照度を得ることができ、且つ取付作業を容易に行うことができるコンパクトな照明器具を提供することである。
【課題を解決するための手段】
【０００６】
上述の課題を解決するために、請求項１の発明では、上面側で外部電源と接続される接続器と、該接続器の下面側に取り付けられて、前記接続器を中心として放射状に突設された複数のアーム部を備えた器体と、前記複数のアーム部の先端部に設けられて、同一の環形蛍光ランプを支持する支持部と、前記器体に収納されるとともに前記接続器を介して前記外部電源と電気的に接続されて、前記環形蛍光ランプの点灯制御を行う点灯制御回路部とを具備し、前記アーム部は、内部が中空に形成されて、少なくとも前記点灯制御回路部の一部が収納されていることを特徴とする照明器具とした。
【０００７】
請求項１の発明によれば、環形蛍光ランプの支持部が設けられたアーム部の内部空間を点灯制御回路部の収納スペースとして利用することができるから、定格電力の高い蛍光ランプを点灯させるために、大型の安定器やインバータ等を備えた点灯制御回路部を用いても、器体の接続器の直下に位置する部位を大型化する必要がなくなり、コンパクトに形成することができる。そのため、照明器具の着脱時に器体によって接続器が目視し難くなることがなくなって、接続器の位置合わせ等を目視で容易に行うことができるようになる。これにより、一般的な居室の主照明としても十分な照度を得ることができ、且つ照明器具の取付作業を容易に行うことができるコンパクトな照明器具を得ることができる。
【０００８】
請求項２の発明では、請求項１の発明の構成に加えて、前記器体は、上面部が開口したボディと、該ボディの開口した上面部に被着される金属製のカバーとから構成され、前記カバーで前記接続器の下面側に取り付けられていることを特徴とする照明器具とした。
【０００９】
請求項２の発明によれば、接続器を器体の金属製のカバーに取り付けているので、器体と接続器との取り付けに必要な保持強度を容易に得ることができ、さらにこの金属製のカバーによって点灯制御回路部から電源側に帰還する雑音を低減することができる。また、ボディを合成樹脂等から形成することとすれば、デザイン面を考慮してボディを形成することができる。
【００１０】
請求項３の発明では、請求項１又は２の発明の構成に加えて、前記点灯制御回路部は、複数の前記アーム部に分割して収納されていることを特徴とする照明器具とした。
【００１１】
請求項３の発明によれば、点灯制御回路部の各回路部品を複数のアーム部に分割して収納しているから、各回路部品の放熱性が向上することになり、これによって点灯制御回路部の各回路部品の温度上昇を抑えることができる。
【００１２】
請求項４の発明では、請求項１乃至３のいずれか１項の発明の構成に加えて、前記器体は３つの前記アーム部を備え、前記点灯制御回路部は前記３つのアーム部のうち２つのアーム部に分割して収納され、残りの１つのアーム部には、ワイヤレスリモコンにより前記点灯制御回路部を遠隔制御するためのワイヤレスリモコン受信部が収納されていることを特徴とする照明器具とした。
【００１３】
請求項４の発明によれば、高周波インバータにより蛍光ランプを駆動し、ワイヤレスリモコンにより遠隔制御することができる点灯制御回路部を、２つのアーム部に分割して収納するとともに、残り１つのアーム部にワイヤレスリモコン受信部を収納しているので、照明器具の重量バランスが取り易くなっている。
【００１４】
請求項５の発明では、請求項１乃至４のいずれか１項の発明の構成に加えて、前記アーム部の下面部にその表裏に貫通する照射孔部を形成するとともに、該照射孔部に対応して発光手段を前記アーム部に収納していることを特徴とする照明器具とした。
【００１５】
請求項５の発明によれば、アーム部の下面部に照射孔部を形成し、且つ該照射孔部に対応する発光手段をアーム部内に設けてあるので、発光手段と点灯制御回路部との配線がし易くなり、また、他の位置に発光手段を設けた場合に比べて照明器具の外観がすっきりする。
【００１６】
請求項６の発明では、請求項１乃至５のいずれか１項の発明の構成に加えて、前記環形蛍光ランプは二重環形蛍光ランプであり、前記点灯制御回路部の定格電力は７０Ｗ以上であることを特徴とする照明器具とした。
【００１７】
請求項６の発明によれば、請求項１乃至５のいずれか１項の照明器具に定格電力が７０Ｗ以上の二重環形蛍光ランプを使用することができる。
【００１８】
請求項７の発明では、請求項１乃至６のいずれか１項の発明の構成に加えて、前記点灯制御回路部は、ワイヤレスリモコンからの制御信号により、環形蛍光ランプの点灯照度を連続的に切り替える機能を有していることを特徴とする照明器具とした。
【００１９】
請求項７の発明によれば、環状蛍光ランプの点灯照度をワイヤレスリモコンにより連続的に切り替え可能な照明器具を得ることができ、例えば、環形蛍光ランプが露出している際に、使用者がワイヤレスリモコンによって、環形蛍光ランプの点灯照度を眩しくない所望の明るさに設定することができる。
【発明の効果】
【００２０】
本発明は、環形蛍光ランプの支持部が設けられたアーム部の内部空間を点灯制御回路部の収納スペースとして利用することができるから、定格電力の高い蛍光ランプを点灯させるために、大型の安定器やインバータ等を備えた点灯制御回路部を用いても、器体の接続器の直下に位置する部位を大型化する必要がなくなり、コンパクトに形成することができるため、照明器具の着脱時に器体によって接続器が目視し難くなることがなくなって、接続器の位置合わせ等を目視で容易に行うことができるようになり、これにより、一般的な居室の主照明としても十分な照度を得ることができ、且つ照明器具の取付作業を容易に行うことができるコンパクトな照明器具を得ることができるという効果がある。
【発明を実施するための最良の形態】
【００２１】
本発明の照明器具１は、図１に示すように、上面側で外部電源と接続される接続器２と、該接続器２の下面側に取り付けられて、前記接続器２を中心として放射状に突設された３つのアーム部１２，１３，１４を備えた器体１０と、各アーム部１２，１３，１４の先端部に設けられて、同一の環形蛍光ランプ１００を支持する支持部１２ａ，１３ａ，１４ａと、器体１０に収納されるとともに接続器２を介して外部電源と電気的に接続されて、環形ランプ１００の点灯制御を行う点灯制御回路部３１とを具備し、各アーム部１２，１３，１４は、内部が中空に形成されている。尚、図１においてリード線Ｌ１は省略してある。
【００２２】
本発明の照明器具１に用いられる環形蛍光ランプ１００は、例えば定格電力が７０Ｗの二重環形蛍光ランプであり、このような環形蛍光ランプ１００は、環径の大きい略Ｃ字状の蛍光ランプ部１０１と、環径の小さい略Ｃ字状の蛍光ランプ部１０２と、各蛍光ランプ部１０１，１０２にそれぞれ給電するためのプラグ部１０３を有して、両蛍光ランプ部１０１，１０２をそれぞれの両端部で保持する基部１０４とを備えている。  
【００２３】
接続器２は、図１に示すように、一対の引掛栓刃６，６を上壁部３ａに備えた内筒部３と、内筒部３の上端部を突出させて内筒部３に被着される外筒部４と、内筒部３と外筒部４との間に介在して上下方向の付勢力を与え、緩衝具となるコイルばね５とを備えている。
【００２４】
内筒部３は、例えば合成樹脂を用いて、上壁部３ａを有する円筒状に形成され、上壁部３ａには、図２（ａ）及び図３（ａ）に示すように、上壁部３ａの中心に対して点対称となる位置に一対の引掛栓刃用の孔部３ｂ、３ｂが形成されるとともに、一方の孔部３ｂの側方には係止片用の孔部３ｃが形成されており、内筒部３の側周部の下端縁部には図１に示すように鍔部３ｄが一体に突設されている。一対の孔部３ｂ、３ｂには、図４（ａ）に示すように、天井面１１１に設置される引掛ローゼット１１０や引掛シーリング等の刃受部に電気的、機械的に接続するための一対の引掛栓刃６，６が図４（ｂ）に示すようにそれぞれ挿通されており、引掛栓刃６，６の上端側が上壁部３ａから外方へ突出し、下端側が内筒部３内に位置している。このような引掛栓刃６，６の上端側の先部は、図２（ｂ）に示すように、引掛ローゼット１１０等の刃受部に引掛係止するために上壁部３ａの中心に向けて折り曲げられてＬ字状に形成されている。また、上壁部３ａの孔部３ｃからはコイルばね等の弾性体により上方向へ付勢された係止片７が内筒部３の外方へ突出しており、この係止片７は、接続器２を引掛栓刃６，６で引掛ローゼット１１０の刃受部に電気的、機械的に接続した際に、接続器２が引掛ローゼット１１０から不意に外れたりしないように接続器２を引掛ローゼット１１０に係止するものである。また、この係止片７は、内筒部３の側周部に突設した解除釦８の押圧操作によって弾性体の付勢に抗して下方へと移動して内筒部３内に収納されるようになっており、これにより接続器２と引掛ローゼット１１０との係止状態を解除して、接続器２を引掛ローゼット１１０から取り外すことができるようになっている。
【００２５】
外筒部４は、例えば合成樹脂を用いて、内筒部３の鍔部３ｄの外径よりも大きい長さ寸法の内径を有する円筒状に形成されて、内筒部３を上下方向に突退出自在に収納できるようになっている。この外筒部４の内周面の上端部には、内筒部３の鍔部３ｄと重複して内筒部３の抜け止めとなる係止部４ａが突設され、係止部４ａには、内筒部３の解除釦８を押圧操作するための凹部４ｂが形成されている。また、外筒部４の外周面の下端部には、３つの突片４ｃ，４ｃ，４ｃがそれぞれ１２０度間隔で放射状に一体に突設されて、各突片４ｃ，４ｃ，４ｃにはそれぞれ、接続器２を器体１０に取り付けるための取付ねじ９が挿通される挿通孔４ｄが形成されている。
【００２６】
コイルばね５は、内筒部３と外筒部４の間に上下方向の付勢力を与えて、例えば照明器具１が引掛ローゼット１１０に接続されている状態で、照明器具１に外力がかかった際に、緩衝具の役割を果たして引掛ローゼット１１０を外力から保護するものである。
【００２７】
器体１０は、図２（ａ）に示すように、接続器２の下面側に取り付けられる連結部１１と、該連結部１１にそれぞれ１２０度間隔で放射状に一体突設されて、環形蛍光ランプ１００の支持部１２ａ，１３ａ，１４ａがそれぞれ先端部に設けられた３つのアーム部１２，１３，１４とを具備し、例えば合成樹脂から上面部が開口した略Ｙ字型の箱状に形成されたボディ１５と、例えば金属板から略Ｙ字状に形成されて、ボディ１５の開口した上面部に被着されるカバー１６とから構成されている。
【００２８】
ボディ１５は、上述したように、例えば合成樹脂から上面部が開口した略Ｙ字型の箱状に形成されて、図１に示すように、第１のアーム部１２用の第１のボディ部１７と、第２のアーム部１３用の第２のボディ部１８と、第３のアーム部１４用の第３のボディ部１９と、連結部１１用の第４のボディ部２０とを備えており、第４のボディ部２０にボディ部１７，１８，１９がそれぞれ１２０度間隔で放射状に一体に突設されている。
【００２９】
第１のボディ部１７は、上面部が開口した直方体の箱状に形成されて、基端側となる長手方向の一端側が第４のボディ部２０に連結され、先端側となる長手方向の他端側において、第１のボディ部１７の短手方向に走る仕切り壁１７ａによって基端側の収納部１７ｂと、先端側の支持部１２ａとに分けられている。仕切り壁１７ａは、ボディ部１７の短手方向の中央部が厚幅に形成されており、該中央部にはカバー１６をボディ１５に取り付けるための取付ねじ２１に対応するねじ穴１７ｃが形成されている。さらに、仕切り壁１７ａには収納部１７ｂ内と支持部１２ａ内とを連通させるリード線挿入孔（図示せず）が形成されている。また、支持部１２ａは、第１のボディ部１７の短手方向における両側壁部が開口しており、環形蛍光ランプ１００を挿通可能としてある。
【００３０】
第２のボディ部１８は、第１のボディ部１７と同寸法の上面部が開口した直方体の箱状に形成されており、先端方向が第１のボディ部１７の先端方向に対して反時計回りに１２０度回転した方向を向くようにして、基端側となる長手方向の一端側で第４のボディ部２０に連結されている。この第２のボディ部１８は、先端側において、第２のボディ部１８の短手方向に走る仕切り壁１８ａによって基端側の収納部１８ｂと、先端側の支持部１３ａとに分けられている。仕切り壁１８ａは、ボディ部１８の短手方向の中央部が厚幅に形成されており、該中央部には取付ねじ２１に対応するねじ穴１８ｃが形成されている。また、支持部１３ａは、第２のボディ部１８の短手方向における両側壁部が開口しており、環形蛍光ランプ１００を挿通可能としてある。
【００３１】
第３のボディ部１９は、第１のボディ部１７と同寸法の上面部が開口した直方体の箱状に形成されており、先端方向が第１のボディ部１７の先端方向に対して反時計回りに２４０度回転した方向を向くようにして、基端側となる長手方向の一端側で第４のボディ部２０に連結されている。この第３のボディ部１９は、先端側において、第３のボディ部１９の短手方向に走る仕切り壁１９ａによって基端側の収納部１９ｂと、先端側の支持部１４ａとに分けられている。仕切り壁１９ａは、ボディ部１９の短手方向の中央部が厚幅に形成されており、該中央部には取付ねじ２１に対応するねじ穴１９ｃが形成されている。また、収納部１９ｂの下面部には、図３（ｂ）に示すように、該下面部の表裏に貫通するワイヤレスリモコン用の受光孔部２１が形成されている。加えて、収納部１９ｂの受光孔部２１よりも先端側の下面部には、受光孔部２１と同様に下面部の表裏に貫通し、第３のボディ部１９の長手方向に沿って８つ並設された照射孔部２２が、短手方向に２列形成されている。また、支持部１４ａは、第３のボディ部１９の短手方向における両側壁部が開口しており、環形蛍光ランプ１００を挿通可能としてある。
【００３２】
第４のボディ部２０は、各ボディ部１７，１８，１９の下面部の基端部が一体に連結される平板部２０ａと、第１のボディ部１７と第２のボディ部１８の側壁部を一体に連結する壁部２３と、第２のボディ部１８と第３のボディ部１９の側壁部を一体に連結する壁部２４と、第３のボディ部１９と第１のボディ部１７の側壁部を一体に連結する壁部２５とを備えている。平板部２０ａは、各アーム部１２，１３，１４の底面となる各ボディ部１７，１８，１９の底面を面一に連結するように形成されており、各壁部２３，２４，２５は、外側面を下端側から上端側へいくにつれて外方へ傾斜するテーパ面に形成するとともに、下端側から上端側へいくにつれて幅広となるように形成されている。また、各壁部２３，２４，２５の内側面にはそれぞれ円柱状のボス部２３ａ，２４ａ，２５ａが上方へ向けて一体に突設されており、各ボス部２３ａ，２４ａ，２５ａにはカバー１６をボディ１５に取り付けるための取付ねじ２６に対応したねじ穴２３ｂ，２４ｂ，２５ｂがそれぞれ形成されている。
【００３３】
而してボディ１５は形成されており、各ボディ部１７，１８，１９の収納部１７ａ，１８ａ，１９ａは第４のボディ部２０を介して連通し、これにより略Ｙ字状の収納スペースが確保されているのである。
【００３４】
このボディ１５に被着されるカバー１６は、上述したように、例えば金属板から略Ｙ字状に形成されて、第１のアーム部１２用の第１のカバー部２７と、第２のアーム部１３用の第２のカバー部２８と、第３のアーム部１４用の第３のカバー部２９と、連結部１１用の第４のカバー部３０とを備えており、第４のカバー部３０にカバー部２７，２８，２９がそれぞれ１２０度間隔で放射状に一体に突設されている。
【００３５】
第１のカバー部２７は、直方体の平板状に形成されて、基端側となる長手方向の一端側で第４のカバー部３０に連結され、先端側となる長手方向の他端側において第１のボディ部１７のねじ穴１７ｃと対応する位置に、取付ねじ２１が挿通される挿通孔２７ａが形成されている。第２のカバー部２８は、第１のカバー部２７と同寸法の直方体の平板状に形成されており、先端方向が第１のカバー部２７の先端方向に対して反時計回りに１２０度回転した方向を向くようにして、基端側となる長手方向の一端側が第４のカバー部３０に連結され、先端側において第２のボディ部１８のねじ穴１８ｃと対応する位置に、取付ねじ２１が挿通される挿通孔２８ａが形成されている。第３のカバー部２９は、第１のカバー部２７と同寸法である直方体の平板状に形成されており、先端方向が第１のボディ部１７の先端方向に対して反時計回りに２４０度回転した方向を向くようにして、基端側となる長手方向の一端側で第４のボディ部２０に連結され、先端側において第３のボディ部１９のねじ穴１９ｃと対応する位置に、取付ねじ２１が挿通される挿通孔２９ａが形成されている。第４のカバー部３０は、中央部に円形のリード線挿入孔３０ａが開口した平板状に形成されており、各カバー部２７，２８，２９がそれぞれ１２０度間隔で放射状に一体に突設されている。また、第４のカバー部３０には、接続器２を器体１０に取り付けるための取付ねじ９に対応する３つのねじ孔３０ｂ，３０ｂ，３０ｂと、取付ねじ２６が挿通される３つの挿通孔３０ｃ，３０ｃ，３０ｃとが形成されている。
【００３６】
器体１０は、上記のボディ１５とカバー１６とから構成されており、第１のボディ部１７と第１のカバー部２７とからなる第１のアーム部１２と、第２のボディ部１８と第２のカバー部２８とからなる第２のアーム部１３と、第３のボディ部１９と第３のカバー部２９とからなる第３のアーム部１４と、第４のボディ部２０と第４のカバー部３０とからなる連結部１１とを備えている。したがって器体１０の各アーム部１２，１３，１４は、その内部空間が中空となっており、これにより各アーム部１２，１３，１４に点灯制御回路部３１等を収納することができるのである。
【００３７】
この器体１０には、図１に示すように、第１のアーム部１２と第２のアーム部１３とに、環形蛍光ランプ１００の点灯制御を行う点灯制御回路部３１が分割して収納され、第３のアーム部１４に、ワイヤレスリモコンにより点灯制御回路部３１を遠隔制御するための受信回路部３２が収納されることになる。
【００３８】
点灯制御回路部３１は、例えば、７０Ｗ以上の定格電力を有する高周波インバータ式の蛍光ランプ駆動回路であり、主に電源部３１ａと、インバータ部３１ｂとを備えている。電源部３１ａは、接続器２を経由して入力される外部電源、例えば交流電源である商用電源を直流電源に変換する回路部であり、交流電源を直流電源に変換する整流器や、整流器から出力される直流電源を定電圧化するためのチョッパー回路等を備えている。インバータ部３１ｂは、電源部３１ａにより変換された直流電源を、環形蛍光ランプ１００の駆動に適した高周波交流電源に変換するインバータ回路や、環形蛍光ランプ１００の点灯照度を連続的に切り替えるための調光制御部等を備えている。
【００３９】
受信回路部３２は、ワイヤレスリモコンからの制御信号を点灯制御回路部３１に送信して、点灯制御回路部３１をワイヤレスリモコンにより遠隔制御するための回路部であり、基板３２ａに、図４（ａ）に示すように、ワイヤレスリモコンの制御信号を受けとるワイヤレスリモコン受信部３３と、発光手段となる複数の発光ダイオード３４とを備えている。この受信回路部３２は、リード線（図示せず）によって点灯制御回路部３１と電気的に接続されており、ワイヤレスリモコン受信部３３で受け取ったワイヤレスリモコンからの制御信号を前記リード線を介して点灯制御回路部３１に送信して、例えば点灯制御回路部３１の前記調光制御部によって環形蛍光ランプ１００の点灯照度を連続的に切り替えることができるようになっている。したがって、例えば、本発明の照明器具１のようにセードやグローブ等のランプ用カバーを備えておらず、環形蛍光ランプ１００が露出している場合、使用者がワイヤレスリモコンによって、環形蛍光ランプ１００の点灯照度を眩しくない所望の明るさに設定することができる。また、複数の発光ダイオード３４は、例えば、照明器具１のオン・オフを示す表示灯や、環形蛍光ランプ１００の点灯照度の調光レベルや、積算点灯時間等のレベルメータとして用いられる。尚、このような受信回路部３２は、一般的に点灯制御回路部３１よりも軽いため、第３のアーム部１４に重り等を配置して照明器具１の重心が照明器具１の中心となるように重量バランスを取ることが好ましい。
【００４０】
また、器体１０の第１のアーム部１２の先端部に設けられた支持部１２ａには、環形蛍光ランプ１００の基部１０４を弾性狭持して支持するための支持ばね３５と、基部１０４のプラグ部１０３に電気的に接続されるソケット３６とが収納されており、支持部１２ａの開口した上面部には、支持部カバー３７が着脱自在に取り付けられている。
【００４１】
支持ばね３５は、弾性を有する金属板から略コ字状に形成されて、互いに対向する一対のばね片３５ａ，３５ａと、両ばね片３５ａ，３５ａの基端部を一体に連結する橋絡片３５ｂとを備えている。ソケット３６は、点灯制御回路部３１のインバータ部３１ｂの出力を環形蛍光ランプ１００に供給するためのものであり、環形蛍光ランプ１００のプラグ部１０３が差し込み接続される差込穴（図示せず）を有して、一組のリード線Ｌ２，Ｌ２によって点灯制御回路部３１と電気的に接続されている。支持部カバー３７は、例えば合成樹脂から略平板状に形成されて、支持部１２ａの開口した上面部を覆って支持部１２ａに着脱自在に取り付けられている。加えて支持部カバー３７は、略中央部に上方へ突出する突部３７ａが形成されており、この突部３７ａの裏部にはソケット３６を収納するための凹部３７ｂが形成されている。
【００４２】
加えて、器体１０のアーム部１３，１４の先端部にそれぞれ設けられた支持部１３ａ，１４ａには、環形蛍光ランプ１００の蛍光ランプ部１０１，１０２を弾性狭持して支持するための支持ばね３８，３８がそれぞれ収納されており、各支持部１３ａ，１４ａの開口した上面部には、支持部カバー３９，３９がそれぞれ着脱自在に取り付けられている。
【００４３】
支持ばね３８は、弾性を有する金属板から略コ字状に形成されて、互いに対向する一対のばね片３８ａ，３８ａと、両ばね片３８ａ，３８ａの基端部を一体に連結する橋絡片３８ｂとを備えており、両ばね片３８ａは、蛍光ランプ部１０１，１０２の外側面に沿って湾曲するように形成されている。支持部カバー３９は、例えば合成樹脂から略平板状に形成されて、支持部１２ａの開口した上面部を覆って支持部１２ａに着脱自在に取り付けられている。
【００４４】
上記の部材により本発明の照明器具１は構成されており、本発明の照明器具１は、各部材を以下のように配置して組立てられている。
【００４５】
ボディ１５には、収納部１７ｂと収納部１８ｂとに分割して点灯制御回路部３１が配置されており、このとき点灯制御回路部３１の電源部３１ａを収納部１８ｂ側に位置させるとともに、インバータ部３１ｂを収納部１７ｂ側に位置させている。また、ボディ１５の収納部１９ｂには、受信回路部３２が、ワイヤレスリモコン受信部３３を収納部１９ｂの受光孔部２１に、発光ダイオード３４を収納部１９ｂの照射孔部２２にそれぞれ臨ませて配置され、リード線（図示せず）によって点灯制御回路部３１と電気的に接続されている。
【００４６】
ボディ１５の支持部１２ａには、支持ばね３５が、第１のボディ部１７の長手方向においてばね片３５ａ，３５ａが互いに対向するようにして配置されるとともに、ソケット３６が備えられており、ソケット３６は、仕切り壁１２ａのリード線挿入孔（図示せず）を介して一組のリード線Ｌ２，Ｌ２を収納部１７ｂ内に挿し入れて、点灯制御回路部３１のインバータ部３１ｂと電気的に接続されている。また、ボディ１５の支持部１３ａ，１４ａには、支持ばね３８が、それぞれのボディ部１８，１９の長手方向においてばね片３８ａ，３８ａが互いに対向するようにして配置されている。加えて、支持部１２ａ，１３ａ，１４ａには支持部カバー３７，３９，３９がそれぞれ被着されている。
【００４７】
このようにして点灯制御回路部３１、受信回路部３２、各支持ばね３５，３８，３８、ソケット３６が配置されたボディ１５にはカバー１６が次のようにして被着されている。すなわち、ボディ１５のボディ部１７，１８，１９，２０にそれぞれ対応するカバー部２７，２８，２９，３０を被せて、取付ねじ２１，２１，２１を各挿通孔２７ａ，２８ａ，２９ａを介してボディ１５のねじ穴１７ｃ，１８ｃ，１９ｃにそれぞれ螺入するとともに、取付ねじ２６，２６，２６を各挿通孔３０ｃ，３０ｃ，３０ｃを介してボディ１５のねじ穴２３ｂ，２４ｂ，２５ｂにそれぞれ螺入することで、カバー１６はボディ１５に被着されている。これにより、器体１０が完成し、この器体１０には、第１のアーム部１２と第２のアーム部１３に点灯制御回路部３１が分割して収納され、第３のアーム部１４に受信回路部３２が収納されている。
【００４８】
以上により構成された器体１０の連結部１１の上面部には、接続器２の内筒部３が配置され、図１に示すように、内筒部３の一対の引掛栓刃６，６と点灯制御回路部３１の電源部３１ａとが、第４のカバー部３０のリード線挿入孔３０ａを介して、一対のリード線Ｌ１，Ｌ１（図４（ｂ）参照）によって電気的に接続されている。この内筒部３には、コイルばね５がその下端部を内筒部３の鍔部３ｄに係止されるとともに、内筒部３の外周部を巻回するようにして内筒部３に取り付けられている。コイルばね５が取り付けられた内筒部３には、その上方から外筒部４が、図２（ｃ）に示すように、開口した上面部から内筒部３の上端部を一部露出させるとともに、凹部４ｂから内筒部３の解除釦８を露出させて内筒部３に被着され、外筒部４の係止部４ａの裏部には、コイルばね５の上端部が係止されている。
【００４９】
この外筒部４は、外筒部４の３つの突片４ｃにそれぞれ形成された挿通孔４ｄ，４ｄ，４ｄを器体１０の第４のカバー部３０に形成されたねじ孔３０ｂ，３０ｂ，３０ｂに連通させ、取付ねじ９，９，９を各挿通孔４ｃ，４ｃ，４ｃを介してねじ孔３０ｂ，３０ｂ，３０ｂにそれぞれ螺入することで、器体１０に取り付けられており、これにより接続器２の下面側に器体１０が取り付けられることになる。
【００５０】
このように各部材が取り付けられて本発明の照明器具１は構成されており、この照明器具１に環形蛍光ランプ１００を取り付ける際には、各支持部１２ａ，１３ａ，１４ａから支持部カバー３７，３９，３９を取り外した後に、環形蛍光ランプ１００の基部１０４を支持部１２ａに位置させて、環形蛍光ランプ１００を各支持部１２ａ，１３ａ，１４ａに亘るように配置する。同時に各支持部１２ａ，１３ａ，１４ａに備えた支持ばね３５，３８，３８で環形蛍光ランプ１００を弾性狭持するとともに、支持部１２ａにおいては、基部１０４のプラグ部１０３にソケット３６を接続する。最後に各支持部１２ａ，１３ａ，１４ａにそれぞれ支持部カバー３７，３９，３９を被着し、これにより環形蛍光ランプ１００の取り付けが完了する。
【００５１】
次に照明器具１の動作について説明する。接続器２の引掛栓刃６，６を図４（ａ）に示すような引掛ローゼット１１０に接続して、照明器具１を外部電源と接続すると、引掛線刃６，６からリード線Ｌ１，Ｌ１を介して点灯制御回路部３１の電源部３１ａに商用電源が給電され、電源部３１ａは交流電源である商用電源を、直流電源に変換してインバータ部３１ｂに出力する。インバータ部３１ｂは、電源部３１ａから出力された直流電源を環形蛍光ランプ１００に対応した高周波交流電源に変換して出力し、インバータ部３１ｂからの出力は、リード線Ｌ２，Ｌ２及びソケット３６を介して環形蛍光ランプ１００の基部１０４に給電される。これにより環形蛍光ランプ１００が駆動されて、環形蛍光ランプ１００の蛍光ランプ部１０１，１０２が点灯することになるのである。
【００５２】
本発明の照明器具１によれば、環形蛍光ランプ１００の支持部１２ａ，１３ａ，１４ａが設けられたアーム部１２，１３，１４の内部空間を点灯制御回路部３１等の収納スペースとして利用することができる。したがって、定格電力の高い蛍光ランプを点灯させるために、大型の安定器やインバータ等を備えた点灯制御回路部３１を用いても、器体１０の接続器２の直下に位置する部位である連結部１１を大型化する必要がなくなり、照明器具１をコンパクトに形成することができる。そのため、照明器具１の着脱時に器体１０によって接続器２が目視し難くなることがなくなって、接続器２の引掛ローゼット１１０への位置合わせ等を目視で容易に行うことができるようになるから、照明器具１の取付作業が容易になって、高所においても安全に着脱作業を行えるようになる。これにより、定格電力が７０Ｗであるような二重環形蛍光ランプ等の使用して一般的な居室の主照明としても十分な照度を得ることができ、且つこのような定格電力の大きい蛍光ランプに対応する点灯制御回路部３１を備えていたとしても照明器具１の取付作業を容易に行うことができるコンパクトな照明器具１を得ることができる。
【００５３】
また、接続器２を器体１０の金属製のカバー１６に取り付けているので、器体１０と接続器２の取り付けに必要な保持強度を容易に得ることができ、さらにこの金属製のカバー１６によって点灯制御回路部３１から電源側に帰還する雑音を低減することができる。また、ボディ１５を合成樹脂から形成しているので、デザイン面を考慮してボディ１５を形成することができる。加えて、照明器具１の器体１０は、上述したように各アーム部１２，１３，１４の底面が面一に形成してあり、これにより指を各アーム部１２，１３，１４の間に入れ易くなるので、照明器具１の引掛ローゼット１１０や引掛シーリング等への着脱時に照明器具１を回し易くなっており、しかも、各アーム部１２，１３，１４の間の各壁部２３，２４，２５の外側面を、下端側から上端側へいくにつれて外方へ傾斜するテーパ面に形成するとともに、下端側から上端側へいくにつれて幅広となるように形成してあるので、照明器具１を指で持ち易くなっているのである。
【００５４】
さらに、点灯制御回路部３１の電源部３１ａを第２のアーム部１３に、インバータ部３１ｂを第１のアーム部１２に配置して、点灯制御回路部３１を第１のアーム部１２と第２のアーム部とに分割して収納しているから、点灯制御回路部３１の各回路部品の放熱性が向上し、これにより各回路部品の温度上昇を抑えることができる。加えて第３のアーム部１４にワイヤレスリモコン受信部３３を備えた受信回路部３２を収納しているから、受信回路部３２と点灯制御回路部３１との配線がし易くなり、また他の位置に発光手段として発光ダイオード３４を設けた場合に比べて照明器具１の外観がすっきりする。しかも、上述したように第１のアーム部１２と第２のアーム部１３とに点灯制御回路部３１を分割して収納し、第３のアーム部１４に受信回路部３２を収納しているので、照明器具１の重量バランスが取り易くなっている。
【００５５】
ところで、本発明の照明器具１の接続器２は、コイルばね５を介して内筒部３と外筒部４とを接続してあるから、照明器具１に外力が加わった際に、コイルばね５によって外筒部４から内筒部３に伝わる外力を緩衝することができ、これにより引掛ローゼット１１０等の天井面１１１に設置される配線器具を照明器具１にかかる外力から保護することができるようになっている。
【００５６】
また、本発明の照明器具１を使用する際には、図４（ａ）に示すように、天井面１１１に設置された引掛ローゼット１１０に直接接続して使用することに限られるものではなく、図５に示すように、接続器２が電気的、機械的に接続される接続具２０１と、引掛ローゼット１１０等に電気的、機械的に接続される引掛栓刃を備えた引掛プラグ２０２と、接続具２０１と引掛プラグ２０２とを接続するコード２０３とから構成された吊下アダプタ２００を用いることができる。この吊下アダプタ２００を介して照明器具１と引掛ローゼット１１０とを接続することで、照明器具１を所謂吊下ペンダントととして使用することができる。
【００５７】
或いは、図６に示すように、接続器２が電気的、機械的に接続される接続具３０１と、外部電源と電気的に接続するためのコンセント等を有して床面等に載置されるベース部３０２と、内部に接続具３０１とベース部３０２とを電気的に接続するリード線を有して、接続具３０１をベース部３０２に支持させる略７字状の支柱３０３とを備えた支持台３００を用いることができ、この支持台３００に照明器具１を取り付けることで、スタンドとして使用することができる。尚、図６においては照明器具１の符号を一部省略してある。
【００５８】
ところで、上述した図１に示す照明器具１は、３つのアーム部１２，１３，１４を備えているものであるが、図７に示すように、第３のアーム部１４及び受信回路部３２を省いて、アーム部１２，１３の２つだけを有する構成としてもよい。
【００５９】
図７に示す照明器具１の器体１０´は、環形蛍光ランプ１００の支持部１２ａ，１３ａがそれぞれ先端部に設けられた２つのアーム部１２，１３を具備し、例えば合成樹脂から上面部が開口した略直方体の箱状に形成されたボディ１５´と、例えば金属板から略長方形の平板状に形成されて、ボディ１５´の開口した上面部に被着されるカバー（図示せず）とから構成されている。
【００６０】
ボディ１５´は、上述したように、例えば合成樹脂から上面部が開口した略直方体の中空の箱状に形成されており、一端側が第１のアーム部１２用の第１のボディ部１７、及び他端側が第２のアーム部１３用の第２のボディ部１８となっている。このボディ１５´に被着されるカバー（図示せず）は、上述したように、例えば金属板から略長方形の平板状に形成されており、一端側が第１のアーム部１２用の第１のカバー部（図示せず）、及び他端側が第２のアーム部１３用の第２のカバー部（図示せず）となっている。
【００６１】
器体１０´は、上記のボディ１５´とカバーとから構成されて第１のアーム部１２と第２のアーム部１３とを備えており、このように構成された器体１０には、図７に示すように、接続器２を介して外部電源と電気的に接続されて環形蛍光ランプ１００の点灯制御を行う点灯制御回路部３１が、第１のアーム部１２と第２のアーム部とに分割して収納されている。
【００６２】
このように本発明の照明器具１は、図１に示すような３つのアーム部を等間隔に突設しているものに限られるものではなく、図７に示すように、２つのアーム部を等間隔に突設しているものとしてもよく、さらに、環形蛍光ランプの大きさ等に応じてアーム部の数を増減させたり、アーム部を不等間隔に突設したりしても、本発明の主旨から逸脱することなく実施することができ、状況に応じて好適な構成とすることができる。
【図面の簡単な説明】
【００６３】
【図１】本発明の照明器具の分解斜視図である。
【図２】（ａ）は、同上の照明器具の上面図であり、（ｂ）は、同上の照明器具の側面図であり、（ｃ）は、同上の照明器具の他方からの側面図である。
【図３】（ａ）は、同上の照明器具を上方から見た斜視図であり、（ｂ）は、同上の照明器具を下方からみた斜視図である。
【図４】（ａ）は、図２（ａ）のＡ−Ａ矢視線における部分断面図であり、（ｂ）は、図２（ａ）のＢ−Ｂ矢視線における断面図である。
【図５】同上の照明器具の使用例である。
【図６】同上の照明器具のその他の使用例である。
【図７】同上のその他の照明器具を下方から見た斜視図である。
【符号の説明】
【００６４】
１    照明器具
２    接続器
１０    器体
１２，１３，１４  アーム部
１２ａ，１３ａ，１４ａ  支持部
３１    点灯制御回路部
３２    受信回路部
１００    環形蛍光ランプ
【図１】
2006040729.tif 000003
【図２】
2006040729.tif 000004
【図３】
2006040729.tif 000005
【図４】
2006040729.tif 000006
【図５】
2006040729.tif 000007
【図６】
2006040729.tif 000008
【図７】
2006040729.tif 000009